(57)【要約】【課題】送風装置を着脱可能な衣服において、送風装置の脱落を防止するための合理的な構成を提供する。【解決手段】上着は、取付け孔１１を有する服地１０と、服地１０に着脱可能な送風装置５００を備える。取付け孔１１を全周に亘って取り巻くファン取付け部１３は、第１の厚みを有する薄肉部１３１と、第１の厚みよりも大きい第２の厚みを有する厚肉部１３５とを含む。送風装置５００は、ファンと、ハウジング５０と、リング部材５７を備える。リング部材５７は、ハウジング５０との間でファン取付け部１３の少なくとも一部を挟持する。ハウジング５０とリング部材５７は、前後方向において第１の厚みに対応する隙間をあけて対向し、薄肉部１３１を挟持する挟持面５２１、５７４を夫々に有する。リング部材５７は、前後方向において第２の厚みに対応する隙間を形成し、厚肉部１３５を収容可能な凹部５７５を有する。【選択図】  図６
2019189982.tif 000002
【特許請求の範囲】
【請求項１】
衣服であって、
着用者の身体の少なくとも一部を覆うように構成され、且つ、開口部を有する服地と、
前記服地に着脱可能に構成された送風装置とを備え、
前記服地のうち、前記開口部を全周に亘って取り巻く周縁部は、第１の厚みを有する薄肉部と、前記第１の厚みよりも大きい第２の厚みを有する厚肉部とを含み、
前記送風装置は、
ファンと、
前記ファンを収容し、且つ、前記開口部に一部が挿通可能に構成されたハウジングと、
前記ハウジングとの間で前記周縁部の少なくとも一部を挟持するように構成された挟持部とを備え、
前記ハウジングおよび前記挟持部は、所定方向において前記第１の厚みに対応する隙間をあけて対向し、前記薄肉部の少なくとも一部を挟持するように構成された第１面および第２面を夫々に有しており、
前記ハウジングおよび前記挟持部のうち少なくとも一方は、前記所定方向において前記第２の厚みに対応する隙間を形成し、前記厚肉部の少なくとも一部を収容可能な凹部を有することを特徴とする衣服。
【請求項２】
請求項１に記載の衣服であって、
前記薄肉部の少なくとも一部は、前記厚肉部に対し、前記開口部の径方向外側に設けられており、
前記ハウジングは、
前記ファンの回転軸と同軸状に配置され、前記開口部に挿通される筒状部と、
前記筒状部から前記回転軸に対して径方向外側に突出するとともに、前記第１面を有する突出部とを含み、
前記突出部および前記挟持部は、前記第１面と前記第２面とが前記回転軸の延在方向において対向して前記薄肉部の少なくとも一部を挟持するように構成され、
前記凹部は、前記突出部および前記挟持部のうち少なくとも一方の前記径方向外側の縁よりも内側に設けられていることを特徴とする衣服。
【請求項３】
請求項２に記載の衣服であって、
前記厚肉部は、前記開口部を全周に亘って取り巻くように環状に設けられていることを特徴とする衣服。
【請求項４】
請求項３に記載の衣服であって、
前記突出部は、環状のフランジ部として構成されており、
前記挟持部は、前記フランジ部に対向するように前記筒状部の外周に着脱可能に構成された環状部材であって、
前記凹部は、前記突出部および前記挟持部のうち少なくとも一方に環状に設けられていることを特徴とする衣服。
【請求項５】
請求項３または４に記載の衣服であって、
前記薄肉部は、前記服地の一部によって形成され、
前記厚肉部は、前記服地の一部と、環状の弾性部材とによって形成されていることを特徴とする衣服。
【請求項６】
請求項１〜５の何れか１つに記載の衣服であって、
前記服地のうち、少なくとも前記周縁部は、樹脂製またはゴム製のシートによって形成されており、
前記薄肉部および前記厚肉部は、前記シートの厚みが異なる部分として一体的に形成されていることを特徴とする衣服。
【発明の詳細な説明】
【技術分野】
【０００１】
本発明は、送風装置が着脱可能な衣服に関する。
【背景技術】
【０００２】
特許文献１には、ファンを収容する本体と、取付けリングとを備えた送風装置を着脱可能な衣服が開示されている。送風装置は、衣服に形成された開口部に本体の一部が挿入された状態で、本体に設けられたフランジと取付けリングとが服地を挟持することで、衣服に取り付けられる。この衣服は、服地が引っ張られた場合に送風装置が衣服から容易に外れることを防止するために、開口部の周囲に縫い込まれた円環状の補強板を備えている。
【先行技術文献】
【特許文献】
【０００３】
【特許文献１】特開２０１５―６５９９８号公報
【発明の概要】
【発明が解決しようとする課題】
【０００４】
特許文献１では、開口部の周囲の服地の伸び縮みを防ぐため、補強板の素材としては、プラスチックや金属が採用されている。このため、フランジと取付けリングによって挟持される開口部の周縁部全体が、他の部分に比べて厚みが大きくなったり、あるいは硬くなったりしやすい。そこで、送風装置の脱落を防止することが可能なより合理的な構成が求められている。
【０００５】
本発明は、このような事情に鑑みてなされたものであり、送風装置を着脱可能な衣服において、送風装置の脱落を防止するための合理的な構成を提供することを目的とする。
【課題を解決するための手段】
【０００６】
本発明の一態様として、服地と、送風装置とを備えた衣服が提供される。服地は、着用者の身体の少なくとも一部を覆うように構成されている。また、服地は、開口部を有する。送風装置は、服地に着脱可能に構成されている。服地のうち、開口部を全周に亘って取り巻く周縁部は、第１の厚みを有する薄肉部と、第１の厚みよりも大きい第２の厚みを有する厚肉部とを含む。送風装置は、ファンと、ハウジングと、挟持部とを備えている。ハウジングは、ファンを収容する。また、ハウジングは、開口部にその一部が挿通可能に構成されている。挟持部は、ハウジングとの間で周縁部の少なくとも一部を挟持するように構成されている。ハウジングおよび挟持部は、所定方向において第１の厚みに対応する隙間をあけて対向し、薄肉部の少なくとも一部を挟持するように構成された第１面および第２面を夫々に有する。更に、ハウジングおよび挟持部のうち少なくとも一方は、所定方向において第２の厚みに対応する隙間を形成し、厚肉部の少なくとも一部を収容可能な凹部を有する。
【０００７】
なお、本態様にいう「挟持」とは、必ずしも第１面と第２面とが薄肉部全体を両側から押さえつけた状態を要するものではなく、第１面と第２面とが薄肉部に実質的に接触可能な状態も含みうる。また、「第１または第２の厚みに対応する」とは、第１または第２厚みに等しいことを要するものではなく、若干大きいまたは小さいことも許容する意である。
【０００８】
本態様に係る衣服は、送風装置が装着された状態では、送風装置のハウジングの一部が服地の開口部に挿通され、ハウジングと挟持部との間で、開口部を全周に亘って取り巻く周縁部の少なくとも一部が挟持される。このとき、ハウジングの第１面と挟持部の第２面とが、周縁部のうち薄肉部を挟持する一方、ハウジングおよび挟持部のうち少なくとも一方に設けられた凹部が、薄肉部よりも厚い厚肉部を収容する。つまり、周縁部と、ハウジングおよび挟持部とが、凹凸構造を介して係合する。このため、服地が引っ張られた場合でも、この係合によって、送風装置が周縁部から外れ、衣服から脱落するのを効果的に防止することができる。このように、本態様によれば、送風装置が衣服から脱落するのを防止するための合理的な構成が実現される。
【０００９】
本発明の一態様において、薄肉部の少なくとも一部は、厚肉部に対し、開口部の径方向外側に設けられていてもよい。ハウジングは、筒状部と、突出部とを含んでいてもよい。筒状部は、ファンの回転軸と同軸状に配置され、服地の開口部に挿通される部分である。突出部は、筒状部からファンの回転軸に対して径方向外側に突出するとともに、第１面を有する部分である。そして、突出部および挟持部は、第１面と第２面とが回転軸の延在方向において対向して薄肉部の少なくとも一部を挟持するように構成されていてもよい。更に、凹部は、突出部および挟持部のうち少なくとも一方の径方向外側の縁よりも内側に設けられていてもよい。
【００１０】
本態様によれば、周縁部は、ファンの回転軸に対して径方向外側に筒状部から突出する突出部と、ファンの回転軸方向に突出部に対向する挟持部との間で挟持される。よって、突出部と挟持部とで周縁部を容易に挟持することができる。また、厚肉部は、突出部および挟持部のうち少なくとも一方の径方向外側の縁よりも内側で凹部に収容され、薄肉部は、厚肉部の径方向外側で、第１面と第２面の間に挟持される。よって、周縁部が、ファンの回転軸に対して径方向外側に引っ張られても、送風装置が周縁部から外れ、衣服から脱落するのを効果的に防止することができる。
【００１１】
本発明の一態様において、厚肉部は、開口部を全周に亘って取り巻くように環状に設けられていてもよい。言い換えると、周縁部は、開口部の全周に亘って、環状の凸部としての厚肉部を含んでいてもよい。本態様によれば、開口部の全周に凹凸構造を有する周縁部と、ハウジングおよび挟持部とを、より容易に係合させることができる。更に、本態様において、突出部は、環状のフランジ部として構成されていてもよい。挟持部は、フランジ部に対向するように筒状部の外周に着脱可能に構成された環状部材であってもよい。更に、凹部は、突出部および挟持部のうち少なくとも一方に環状に設けられていてもよい。この場合、周縁部と、ハウジングおよび挟持部とが、開口部の全周に亘って凹凸構造を介して係合するため、送風装置が周縁部から外れ、衣服から脱落するのをより確実に防止することができる。また、衣服に対する送風装置の装着の安定性を高めることができる。
【００１２】
本発明の一態様において、薄肉部は、服地の一部によって形成されていてもよい。一方、厚肉部は、服地の一部と、環状の弾性部材とによって形成されていてもよい。本態様によれば、環状の弾性部材を服地に取り付けるという簡便な方法で厚肉部を形成することができる。
【００１３】
本発明の一態様において、服地のうち、少なくとも周縁部は、樹脂製またはゴム製のシートによって形成されていてもよい。そして、薄肉部および厚肉部は、シートの厚みが異なる部分として一体的に形成されていてもよい。本態様によれば、異なる厚みを有する薄肉部と厚肉部を含む周縁部を、簡便な方法で形成することができる。
【図面の簡単な説明】
【００１４】
【図１】送風装置が装着された上着の背面図である。
【図２】上着の内側を示す説明図である。
【図３】送風装置の斜視図である。
【図４】送風装置の分解斜視図である。
【図５】上着に装着された状態の送風装置の断面図である。
【図６】図５の部分拡大図である。
【図７】上着のファン取付け部およびその周辺領域の説明図である。
【図８】送風装置のハウジングの側面図である。
【図９】リング部材が装着された状態のハウジングの断面図である。
【図１０】図５に対応する、第１の変形例のファン取付け部と送風装置の説明図である。
【図１１】図５に対応する、第２の変形例のファン取付け部と送風装置の説明図である。
【図１２】図５に対応する、第３の変形例のファン取付け部と送風装置の説明図である。
【図１３】第４の変形例に係る服地と送風装置の説明図である。
【発明を実施するための形態】
【００１５】
以下、図面を参照して、本発明の実施形態について説明する。なお、以下の実施形態では、本発明に係る送風装置の一例として、送風装置５００を例示する。また、送風装置５００を着脱可能な衣服として、上着１を例示する。
【００１６】
まず、本実施形態の上着１および送風装置５００の概略構成と、送風装置５００の使用態様について、簡単に説明する。
【００１７】
図１に示すように、本実施形態の送風装置５００は、例えば、上着１に装着されて使用される。図２に示すように、上着１は、左右の前身頃、後身頃、および袖を含み、着用者の上半身を覆う服地１０を主体として構成された、前開きで長袖の上衣である。上着１は、一般的には、下着やＴシャツ等の上に着用される。服地１０は、後身頃の下方（詳細には、着用時に使用者の腰周りの背中側を覆う部分）の２箇所に、送風装置５００を取り付けるための取付け孔１１を有する。つまり、上着１には、２つの送風装置５００が取り付け可能である。なお、取付け孔１１は、送風装置５００のハウジング５０（図４参照）の最大径と概ね同径の円形の貫通孔として構成されている。
【００１８】
図３〜図５に示すように、送風装置５００は、モータ６１およびファン６３（図５参照）を収容するハウジング５０と、リング部材５７とを備えている。ハウジング５０は、ファン６３の形状に対応して、ファン６３の回転軸Ａ１方向にみて概ね円形の収容体として構成されている。ハウジング５０の回転軸Ａ１方向における一端部には、回転軸Ａ１に対して径方向外側に突出する環状のフランジ部５２が設けられている。リング部材５７は、全体としては、ハウジング５０の外周部に着脱可能な短尺の円筒体として形成されている。リング部材５７（より詳細には、後述の筒状部５７１）の中心軸Ａ２方向における一端部には、径方向外側に突出する環状のフランジ部５７３が設けられている。
【００１９】
本実施形態では、送風装置５００は、フランジ部５２が上着１の外面側（使用者の身体とは反対側）に配置された状態で、ハウジング５０のフランジ部５２以外の部分が取付け孔１１から上着１の内部（使用者の身体側）に挿入される。そして、所定の動作線に沿って、リング部材５７が上着１の内部からハウジング５０の外周部に同軸状に嵌め込まれる。これにより、ハウジング５０のフランジ部５２とリング部材５７のフランジ部５７３とによって服地１０（詳細には、取付け孔１１の周縁部）が挟持された状態で、送風装置５００が上着１に対して装着される。送風装置５００は、吸気口５３０（図１参照）を介して上着１の外部から空気を吸い込み、排気口５４０から上着１の内部へ向けて送出する。上着１の内部へ送出された空気は、使用者の身体を冷却しつつ上着１の内部を流れ、襟元や袖口から上着１の外部へ流出する。送風装置５００の装着によって上着１内を通気可能とすることで、使用者は高温下においても快適な作業環境を得ることができる。
【００２０】
なお、以下の説明では、便宜上、送風装置５００の方向に関しては、送風装置５００が上着１に装着され、更に上着１が着用されたときの使用者の向きを基準として定義する。具体的には、ファン６３の回転軸Ａ１の延在方向（回転軸Ａ１方向ともいう）を前後方向、上着１の外面側（つまり、ハウジング５０の吸気口５３０およびフランジ部５２側）を後側、上着１の内面側（つまり、ハウジング５０の排気口５４０側）を前側とする。また、回転軸Ａ１および中心軸Ａ２周りの周方向に関しては、送風装置５００を前側からみた場合を基準として、時計回り方向ＣＷおよび反時計回り方向ＣＣＷ（図４参照）を規定する。
【００２１】
以下、上着１の詳細構成について説明する。
【００２２】
上述のように、図２に示す上着１は、着用者の上半身を覆うように構成された服地１０を備えている。一般的に、服地１０は、前身頃、後身頃、袖等の複数の部分が縫い合わせられることで形成される。服地１０は、少なくとも１層のシート状素材で構成されていればよい。典型的には、服地１０を構成するシート状部材として、天然繊維、化学繊維、またはこれらを複合した繊維を含む生地（織物、編物、不織布等）が採用される。なお、本実施形態では、送風装置５００によって上着１の内部に送出された空気が服地１０を通過することを抑制するために、比較的通気性の低い化学繊維の織物生地が採用されている。また、本実施形態では、服地１０のほぼ全体が、同じ織物生地で構成されているが、服地１０は、異なる素材で構成された部分を含んでもいてもよい。
【００２３】
また、上述のように、服地１０の後身頃には、２つの取付け孔１１が形成されている（図２参照）。取付け孔１１の周縁部、つまり、取付け孔１１を全周に亘って取り巻く領域は、送風装置５００が上着１に装着される場合に、ハウジング５０のフランジ部５２とリング部材５７とによって挟持される領域である。この領域を、ファン取付け部１３ともいう。
【００２４】
本実施形態では、ファン取付け部１３は、送風装置５００が服地１０から外れることを防止するための構成を有する。より詳細には、図５に示すように、ファン取付け部１３は、服地１０の一部によって形成された薄肉部１３１と、服地１０の一部および弾性リング１３６によって形成された厚肉部１３５とを含む。
【００２５】
本実施形態では、薄肉部１３１は、生地が複数層に重ねられ、縫い合わされた部分として構成されている。具体的には、図６および図７に示すように、薄肉部１３１は、例えば、後身頃を構成する生地（後身頃地）１０１の内面（使用者の身体側に対向する面）側に、取付け孔１１を中心として別の生地（当て布）１０３が縫い付けられることで形成されている（折り返された縫い代および縫目の図示は省略）。このとき、弾性リング１３６が後身頃地１０１と当て布１０３の間に配置され、取付け孔１１の縁に沿って縫い込まれることで、厚肉部１３５が形成されている。本実施形態では、弾性リング１３６として、ゴム製のリング（いわゆるＯリング）が採用されている。このような構成により、厚肉部１３５の厚みＴ２は、概ね弾性リング１３６の厚み分だけ、薄肉部１３１の厚みＴ１よりも大きい。詳細は後述するが、薄肉部１３１は、ファン取付け部１３のうち、フランジ部５２の挟持面５２１とフランジ部５７３の挟持面５７４によって挟持される部分として構成されている。一方、厚肉部１３５は、リング部材５７の凹部５７５に収容される部分として構成されている。
【００２６】
また、図２に示すように、上着１（例えば、前身頃）には、ポケット１７が設けられている。ポケット１７には、送風装置５００の電源としてのバッテリ８が装着されたバッテリホルダ８１を収容可能である。バッテリホルダ８１と２つの送風装置５００は、二股状の接続ケーブル８３によって電気的に接続される。
【００２７】
以下、送風装置５００の詳細構成について説明する。
【００２８】
まず、ハウジング５０内に収容されたモータ６１およびファン６３について説明する。図５に示すように、本実施形態では、モータ６１として、比較的小型で高出力なブラシレスモータが採用されている。また、ファン６３として、複数の羽根を備えた軸流ファンが採用されている。ファン６３は、モータ６１のロータと共に回転するモータシャフト６１１に同軸状に取り付けられている。ファン６３は、モータ６１の駆動に伴って、モータシャフト６１１の回転軸Ａ１周りにモータシャフト６１１と一体的に回転される。なお、本実施形態では、バッテリホルダ８１（図２参照）には、送風装置５００（詳細には、モータ６１）の駆動開始および停止の指示を入力するための操作ボタン（図示略）が設けられている。また、操作ボタンは、モータ６１の回転数の設定のための指示も入力可能とされている。そして、バッテリホルダ８１に搭載されたコントローラ（例えば、ＣＰＵを備えたマイクロコンピュータ、図示略）によって、設定された回転数に応じてモータ６１の駆動制御が行われる。
【００２９】
次に、ハウジング５０について説明する。図４および図５に示すように、ハウジング５０は、筒状部５１と、フランジ部５２と、吸気側カバー部５３と、排気側カバー部５４とを含む。なお、本実施形態のハウジング５０は樹脂製である。
【００３０】
筒状部５１は、概ね円筒状に形成されており、ファン６３の回転軸Ａ１と同軸状に、ファン６３の一部を囲むように配置されている。筒状部５１は、送風装置５００が上着１に装着されるときに、取付け孔１１に挿通される部分である。なお、筒状部５１の外周部には、リング部材５７を回転軸Ａ１方向および回転軸Ａ１周りの周方向においてハウジング５０に対して係止するための構成が設けられているが、この点については、後で詳述する。
【００３１】
フランジ部５２は、筒状部５１の後端部（つまり、回転軸Ａ１方向においてファン６３の吸気側に位置する端部）から径方向外側に突出する環状の部分である。フランジ部５２は、リング部材５７が筒状部５１に嵌め込まれたときに、回転軸Ａ１方向においてリング部材５７に対向し、ファン取付け部１３を挟持するように構成されている。フランジ部５２の前面は、フランジ部５７３の後面との間でファン取付け部１３（詳細には、薄肉部１３１）を挟持する挟持面５２１として機能する（図６参照）。
【００３２】
図５に示すように、吸気側カバー部５３は、筒状部５１の後端部を覆うように配置されている。図１に示すように、吸気側カバー部５３は、後側からみて中央部に配置された板状の閉塞部５３１と、閉塞部５３１から概ね放射状に延在し、筒状部５１の後端部に接続する複数のリブ５３３とを含む。閉塞部５３１と複数のリブ５３３と筒状部５１の後端部によって規定される開口が、吸気口５３０を構成する。なお、吸気口５３０は、回転軸Ａ１方向に吸気側カバー部５３を貫通している。
【００３３】
図３および図４に示すように、排気側カバー部５４は、筒状部５１の前端部（つまり、回転軸Ａ１方向においてファン６３の排気側に位置する端部）を覆うように配置されている。本実施形態では、排気側カバー部５４は、全体としては、回転軸Ａ１方向において筒状部５１の前端部から離れる方向（前方）に突出する円形ドーム状に形成されている。排気側カバー部５４は、前側からみて中央部に配置された円板状の閉塞部５４１と、全体としては閉塞部５４１から円弧状に延在して筒状部５１の前端部に接続する複数のリブ５４３とを含む。閉塞部５４１と複数のリブ５４３と筒状部５１の前端部によって規定される開口が、排気口５４０を構成する。なお、排気口５４０は、回転軸Ａ１方向および回転軸Ａ１に交差する方向に排気側カバー部５４を貫通している。ファン６３が回転駆動されると、後方から前方へ、吸気口５３０を通ってハウジング５０内へ流入した空気は、排気口５４０を通って、後方から前方へ、また径方向外側へ向かって流出する。
【００３４】
なお、図３および図５に示すように、排気側カバー部５４の周方向における一部には、凹部５４５が設けられている。凹部５４５に対して回転軸Ａ１側には、モータ６１に電気的に接続されたコネクタ６２が配置されている。上述のようにバッテリホルダ８１に接続された接続ケーブル８３のコネクタ８３１（図２参照）が凹部５４５に配置され、コネクタ６２に接続されることで、バッテリホルダ８１と送風装置５００とが電気的に接続される。
【００３５】
以下、リング部材５７について説明する。図３〜図５に示すように、リング部材５７は、筒状部５７１と、フランジ部５７３とを含む。なお、本実施形態では、筒状部５７１およびフランジ部５７３は、樹脂によって一体的に形成されている。
【００３６】
筒状部５７１は、ハウジング５０の筒状部５１に外嵌される部位である。そこで、筒状部５１は、ハウジング５０の筒状部５１の外径よりも僅かに大きい内径を有する短尺状の円筒体として形成されている。なお、筒状部５７１の外周面には、略三角形状のリブが複数配置されている。これらの三角リブは、使用者が指を掛けてリング部材５７を把持したり、中心軸Ａ２周りに回転させたり、回転しないように押えたりすることを容易にするための指掛け部として構成されている。
【００３７】
フランジ部５７３は、リング部材５７がハウジング５０に装着されたときに、前後方向（回転軸Ａ１方向）においてハウジング５０のフランジ部５２に対向するように構成されている。より詳細には、フランジ部５７３は、筒状部５７１の中心軸Ａ２方向における一端部（具体的には、後端部）から径方向外側に突出する環状の部分として構成されている。なお、本実施形態では、フランジ部５７３の外径は、ハウジング５０のフランジ部５２の外径と概ね同じに設定されている。フランジ部５７３の後面は、フランジ部５２の前面である挟持面５２１との間でファン取付け部１３（詳細には、薄肉部１３１）を挟持する挟持面５７４として機能する（図６参照）。
【００３８】
更に、本実施形態では、リング部材５７は、送風装置５００が服地１０から外れることを防止するための構成を有する。より詳細には、図５および図６に示すように、リング部材５７は、後端部に形成された環状の凹部５７５を有する。凹部５７５は、径方向において最も内側の端に環状に設けられ、フランジ部５７３の挟持面５７４よりも前方へ凹んでいる。詳細は後述するが、凹部５７５は、リング部材５７がハウジング５０に装着されたときに、ファン取付け部１３の厚肉部１３５が収容される凹部として構成されている。
【００３９】
上述のように構成された送風装置５００は、更に、２種類の係止機構を備えている。第１の係止機構は、リング部材５７をハウジング５０に対して回転軸Ａ１方向（中心軸Ａ２方向）に係止することで、ハウジング５０に対するリング部材５７の回転軸Ａ１方向の移動を規制するように構成された機構である。第２の係止機構は、リング部材５７をハウジング５０に対して回転軸Ａ１周りの周方向に係止することで、ハウジング５０に対するリング部材５７の回転を規制するように構成された機構である。以下、これらの係止機構の構成について、順に説明する。
【００４０】
まず、第１の係止機構の構成について説明する。図４に示すように、本実施形態では、第１の係止機構は、ハウジング５０の筒状部５１に設けられたガイド溝７１と、リング部材５７の筒状部５７１に設けられた係止突起７３とを含む。
【００４１】
図４および図８に示すように、ガイド溝７１は、筒状部５１の外周面から径方向内側に凹むように形成された溝である。ガイド溝７１は、全体としては略Ｌ字状に形成されており、第１部分７１１と第２部分７１４とを含む。第１部分７１１は、ガイド溝７１のうち、筒状部５１の前端から後方へ延びる部分である。第２部分７１４は、ガイド溝７１のうち、第１部分７１１の後側部分から連続して周方向に（詳細には、図４の時計回り方向ＣＷに）延びる部分である。本実施形態では、ガイド溝７１は、リング部材５７がハウジング５０に対して着脱される過程で、リング部材５７の係止突起７３が通過可能な経路を規定する溝として構成されている。具体的には、リング部材５７がハウジング５０に対して着脱される過程で、係止突起７３は、ガイド溝７１内に挿入され、ガイド溝７１に沿って案内される。
【００４２】
第１部分７１１の前端は、リング部材５７の係止突起７３をガイド溝７１へ受け入れる受入口を構成する。第２部分７１４の前端を規定する壁面（つまり、筒状部５１の外周面から溝の底まで径方向内側に伸展する面部）は、周方向に（詳細には、時計回り方向ＣＷに）延在しつつ、フランジ部５２に向けて後方に僅かに傾斜している。この壁面を、ガイド面７１５という。ガイド面７１５の周方向における中間部には、回転軸Ａ１に概ね直交する面である第１係止部７１６が形成されている。時計回り方向ＣＷにおいて、第１係止部７１６の下流側の端（図８の下端）には、後方（図８の右方）への僅かな段差７１８が設けられている。ガイド面７１５は、段差７１８から更に下流側へ僅かに傾斜しつつ延びている。
【００４３】
ガイド面７１５の終端部（つまり、第１部分７１１から最も離れた端部）には、回転軸Ａ１に概ね直交する面である第２係止部７１７が形成されている。つまり、第２係止部７１７は、第１係止部７１６よりも時計回り方向ＣＷにおいて下流側に配置されている。また、回転軸Ａ１方向（つまり、フランジ部５２とフランジ部５７３の対向方向、前後方向）において、第２係止部７１７は、第１係止部７１６に対して異なる位置にある。より詳細には、回転軸Ａ１方向において、第２係止部７１７は、第１係止部７１６よりもフランジ部５２に近い位置（より後方）にある。つまり、回転軸Ａ１方向における第２係止部７１７とフランジ部５２との間の距離は、第１係止部７１６とフランジ部５２との間の距離よりも短い。
【００４４】
図４に示すように、係止突起７３は、リング部材５７の筒状部５７１の内周面から径方向内側に突出するように設けられている。本実施形態では、係止突起７３は、直方体状の突起として、筒状部５７１の後端に、筒状部５７１と一体的に形成されている。上述のように、係止突起７３はガイド溝７１内を案内されるため、係止突起７３は、ガイド溝７１内に挿入可能なサイズに設定されている。
【００４５】
なお、詳細な図示は省略するが、本実施形態では、３つのガイド溝７１が、筒状部５１の周方向において３箇所に等間隔で設けられている。また、３つの係止突起７３が、筒状部５７１の周方向において３箇所に等間隔で設けられている。
【００４６】
次に、第２の係止機構の構成について説明する。図４、図８および図９に示すように、本実施形態では、第２の係止機構は、ハウジング５０の筒状部５１に設けられた回転係止部７５と、リング部材５７の筒状部５７１に設けられた係止片７７とを含む。
【００４７】
本実施形態では、回転係止部７５は、第１凹部７５１および第２凹部７５６を含む。第１凹部７５１および第２凹部７５６は、いずれも筒状部５１の外周面から径方向内側に凹むように形成された凹部であって、係止片７７を周方向に係止するように構成されている。
【００４８】
図４および図８に示すように、第１凹部７５１は、フランジ部５２から前方へ向けて筒状部５１の前端の近傍まで延在する凹部として設けられている。また、図９に示すように、第１凹部７５１は、回転軸Ａ１に直交する断面がＶ字状に形成されている。第１凹部７５１を規定する２面のうち、時計回り方向ＣＷにおいて上流側の面７５２は、概ね径方向に延在する一方、下流側の面７５３は、面７５２と筒状部５１の外周面とを緩やかに傾斜しながら接続する。面７５２は、後述する係止片７７の爪７７１と係合する係合面として機能する。また、面７５３は、第１凹部７５１内に配置された爪７７１の時計回り方向ＣＷへの離脱を案内するガイド面として機能する。
【００４９】
図４および図８に示すように、第２凹部７５６は、時計回り方向ＣＷにおいて第１凹部７５１の下流側、且つ、回転軸Ａ１方向において筒状部５１の概ね中央部に、側面視矩形状の凹部として設けられている。また、図９に示すように、第２凹部７５６は、回転軸Ａ１に直交する断面も矩形状に形成されている。第２凹部７５６を規定する３面のうち、時計回り方向において最上流側の面７５７は、概ね径方向に延在し、係止片７７の爪７７１と係合する係合面として機能する。更に、図８に示すように、第２凹部７５６の前端部は、第１凹部７５１の前端部よりも筒状部５１の前端から離間した位置にある。
【００５０】
なお、回転軸Ａ１方向（前後方向）において、第１凹部７５１の前端と第２凹部７５６の前端の間の距離は、ガイド溝７１の第１係止部７１６と第２係止部７１７の間の距離に対応している。また、時計回り方向ＣＷにおいて、第１凹部７５１の上流側の端と第２凹部７５６の上流側の端の間の距離は、ガイド溝７１の第１係止部７１６の下流側の端と第２係止部７１７の下流側の端の間の距離に対応している。
【００５１】
図４および図８に示すように、筒状部５１の前端部には、時計回り方向ＣＷにおいて第１凹部７５１の上流側に、ガイド凹部７８が設けられている。ガイド凹部７８は、第１凹部７５１および第２凹部７５６と比べて浅い凹部であって、前端の中央部が最も深くなるように、全体が湾曲面によって規定されている。ガイド凹部７８は、後述する係止片７７（詳細には、爪７７１）を受け入れ、筒状部５１の外周面へと案内する。
【００５２】
なお、本実施形態では、時計回り方向ＣＷにおいて、上流側から順に、ガイド凹部７８、第１凹部７５１、第２凹部７５６が配置されている。更に、ガイド凹部７８、第１凹部７５１、第２凹部７５６を１組として、３組のガイド凹部７８、第１凹部７５１、第２凹部７５６が、夫々、上述の３つのガイド溝７１の間に配置されている。
【００５３】
図９に示すように、係止片７７は、可撓性を有する帯状部材として、リング部材５７の筒状部５７１の周方向に延在するように、筒状部５１と一体的に形成されている。係止片７７は、時計回り方向ＣＷにおける上流側端部が筒状部５１に接続されており、筒状部５１に対して径方向に撓むことができる。係止片７７の時計回り方向ＣＷにおける下流側端部（先端部）の内面（中心軸Ａ２側の面）には、径方向内側に突出する爪７７１が設けられている。係止片７７は、爪７７１を介して上述の第１凹部７５１および第２凹部７５６に係止可能に構成されている。また、係止片７７の先端部には、径方向外側へ突出するタブ７７６が設けられている。タブ７７６は、使用者が、反時計回り方向ＣＣＷに指で押圧操作すること、または、指で摘んで操作することができるように構成されており、爪７７１の第１凹部７５１（面７５２）または第２凹部７５６（面７５７）に対する係合を解除するのに使用される。
【００５４】
以上の構成を有する送風装置５００は、使用者によって、上着１（図１および図２参照）に取り付けられて使用される。なお、本実施形態の送風装置５００は、上述の２種類の係止機構によって、様々な厚みの衣服に対応可能とされている。より詳細には、送風装置５００は、上着１以外にも、薄肉部１３１および厚肉部１３５とは異なる厚みの薄肉部および厚肉部を含むファン取付け部を備えた衣服に着脱可能である。
【００５５】
以下、上着１に対する送風装置５００の着脱について説明する。
【００５６】
送風装置５００を上着１に装着する場合には、使用者はまず、図４に示すようにリング部材５７が取り外された状態のハウジング５０を、上着１の取付け孔１１（図２参照）に挿入する。具体的には、フランジ部５２の挟持面（前面）５２１がファン取付け部１３の外面に当接した状態で、筒状部５１と排気側カバー部５４を取付け孔１１から上着１の内側へ挿入する。これにより、取付け孔１１の縁に沿って弾性リング１３６が縫い込まれた厚肉部１３５は、筒状部５１の周囲に配置される。厚肉部１３５は、弾性リング１３６の弾性力によって、筒状部５１の外周面にフィットする。
【００５７】
本実施形態の送風装置５００は、リング部材５７がハウジング５０に対して所定の動作線に沿って装着されるように構成されている。なお、「動作線」とは、リング部材５７がハウジング５０に対して装着されるときに辿る動線、または操作線のことをいう。あるいは、リング部材５７がハウジング５０に対して装着されるときの装着方向と言い換えることもできる。動作線は、典型的には、所定方向への直線状または曲線状の動作、あるいは、かかる動作が複数組み合わされたものとして表される。本実施形態では、リング部材５７は、回転軸Ａ１方向にハウジング５０に対して近接する方向（言い換えると、フランジ部５７３がフランジ部５２に近づく方向）に相対移動され、その後、時計回り方向ＣＷに相対移動されることで、ハウジング５０に装着される。
【００５８】
より具体的には、使用者は、係止突起７３がガイド溝７１の受入口に夫々対向し、且つ、係止片７７の爪７７１がガイド凹部７８に対向するように、リング部材５７をハウジング５０に対して位置合わせする。そして、使用者は、リング部材５７をハウジング５０に対して後方へ移動する。係止突起７３がガイド溝７１のうち第１部分７１１に沿って案内されることで、リング部材５７は、ハウジング５０に対して回転軸Ａ１方向に後方へ装着案内される。係止突起７３が第２部分７１４の位置に達すると、使用者は、リング部材５７をハウジング５０に対して時計回り方向ＣＷに回転させ、係止突起７３を第２部分７１４に進入させる。なお、これに伴い、係止片７７の爪７７１は、ガイド凹部７８を規定する湾曲面に沿ってガイド凹部７８から離脱する。係止片７７が径方向外側に撓んだ状態で、爪７７１は、筒状部５１の外周面に沿って時計回り方向ＣＷに移動する。
【００５９】
係止突起７３が第２部分７１４内に配置されている場合、係止突起７３は、ガイド面７１５によって回転軸Ａ１方向において前方への移動が規制される。使用者は、図８に示すように、上着１のファン取付け部１３の厚みに応じて、係止突起７３の前端が、第１係止部７１６に当接する第１位置、または、第２係止部７１７に当接する第２位置に配置されるまで、リング部材５７を時計回り方向ＣＷに回動させる。係止突起７３は、第１位置において、時計回り方向ＣＷにおける下流側の端が、第１係止部７１６の下流側に形成された段差７１８に当接する。係止突起７３は、第２係止位置において、時計回り方向ＣＷにおける下流側の端が、第２部分７１４の下流側の端に当接する。よって、使用者は、係止突起７３の前端面がガイド面７１５に沿って時計回り方向ＣＷに移動するようにリング部材５７を回動させることで、係止突起７３を第１位置または第２位置まで容易且つスムーズに移動させることができる。
【００６０】
係止突起７３が第１位置に配置されたときのフランジ部５７３とフランジ部５２との間の対向方向（つまり、回転軸Ａ１方向、前後方向）における距離（つまり、挟持面５７４と挟持面５２１の間の距離）は、係止突起７３が第２位置に配置されたときの距離よりも大きい。フランジ部５７３とフランジ部５２との間の距離は、フランジ部５７３とフランジ部５２とで挟持可能なファン取付け部１３（詳細には、薄肉部１３１）の厚みに対応する。よって、使用者は、ファン取付け部１３の厚みに応じて、係止突起７３を第１位置と第２位置のどちらに係止させればよい。何れの場合も、係止突起７３が前方でガイド面７１５の第１係止部７１６または第２係止部７１７に係止されることで、回転軸Ａ１方向において、リング部材５７がハウジング５０から離れる方向（前方）に移動することが規制される。
【００６１】
更に、係止突起７３が第１位置に配置されると、図９に示すように、爪７７１は、係止片７７の復元力で第１凹部７５１内に入り込み、面７５２に係合する。同様に、係止突起７３が第２位置に配置されると、爪７７１は、係止片７７の復元力で第２凹部７５６内に入り込み、面７５７に係合する。何れの場合も、係止片７７が第１凹部７５１または第２凹部７５６に周方向に係止されることで、リング部材５７が周方向（特に、反時計回り方向ＣＣＷ）に回転することが規制される。
【００６２】
本実施形態の上着１のファン取付け部１３は比較的薄いため、使用者は、係止突起７３が第２位置に配置されるまで、ハウジング５０に対してリング部材５７を移動させる。係止突起７３が第２位置に配置されると、図６に示すように、挟持面５７４と挟持面５２１は、回転軸Ａ１方向（前後方向）において、ファン取付け部１３の薄肉部１３１の厚みＴ１に対応する隙間をあけて対向し、薄肉部１３１を挟持する。より詳細には、挟持面５７４と挟持面５２１は、厚みＴ１に対応する距離Ｄ１だけ離間して、概ね平行に配置される。なお、ここでいう挟持とは、薄肉部１３１全体を両側から押さえつけた状態である必要はなく、薄肉部１３１に実質的に接触可能な状態であることを含む意である。また、「厚みＴ１に対応する」とは、厚みＴ１と概ね等しいか、厚みＴ１より若干大きいまたは小さいことをいうものである。
【００６３】
また、凹部５７５は、径方向においてリング部材５７の最も内側でフランジ部５２の挟持面５２１に対向して、前後方向において、ファン取付け部１３の厚肉部１３５の厚みＴ２に対応する隙間を形成する。より詳細には、凹部５７５の底面５７６と挟持面５２１は、厚肉部１３５の厚みＴ２に対応する距離Ｄ２（典型的には、厚みＴ２と概ね等しい距離）だけ離間して概ね平行に配置される。なお、「厚みＴ２に対応する」とは、厚みＴ２と概ね等しいか、厚みＴ２より若干大きいまたは小さいことをいうものである。このような構成により、係止突起７３が第２位置に配置されると、凹部５７５は、筒状部５１の周囲に配置された厚肉部１３５を収容する。凹部５７５の径方向外側では、挟持面５７４と挟持面５２１の間の隙間が小さいため、厚肉部１３５は凹部５７５に係合した状態で保持される。これにより、服地１０が引っ張られた場合でも、送風装置５００がファン取付け部１３から外れることを防止することができる。
【００６４】
一方、送風装置５００が、上着１に代えて、薄肉部１３１と厚肉部１３５よりも夫々厚みが大きい薄肉部と厚肉部とを含むファン取付け部（但し、薄肉部と厚肉部の厚みの差が、厚みＴ１とＴ２の差と概ね等しいファン取付け部）を備えた衣服に装着される場合には、係止突起７３が第１位置に配置された状態で、リング部材５７がハウジング５０に装着されればよい。この場合も、凹部５７５に係合した状態で保持される厚肉部によって、送風装置５００がファン取付け部１３から外れることを防止することができる。
【００６５】
送風装置５００を上着１から取り外す時には、リング部材５７は、動作線を装着時とは反対方向に辿ることになる。つまり、リング部材５７は、反時計回り方向ＣＣＷに相対移動され、その後、回転軸Ａ１方向にハウジング５０から離れる方向（言い換えると、フランジ部５７３がフランジ部５２から離れる方向）に相対移動されることで、ハウジング５０から取り外される。
【００６６】
より具体的には、使用者は、第１凹部７５１または第２凹部７５６に係止された係止片７７のタブ７７６を反時計回り方向ＣＣＷに押圧することで（または指で摘んで径方向外側へ引っ張ることで）係止片７７を撓ませ、係止を解除する。これにより、リング部材５７のハウジング５０に対する周方向の移動が許容される。使用者は、リング部材５７をハウジング５０に対して反時計回り方向ＣＣＷに回動させ、係止突起７３を、第２部分７１４から第１部分７１１内へ移動させる。そして、リング部材５７をハウジング５０に対して前方へ相対移動させ、係止突起７３を第１部分７１１から離脱させる。使用者は、リング部材５７をハウジング５０から取り外した後、ハウジング５０を上着１から取り外すことができる。
【００６７】
以上に説明したように、本実施形態では、送風装置５００が上着１に装着される場合、ハウジング５０の一部が服地１０の取付け孔１１に挿通され、ハウジング５０（フランジ部５２）とリング部材５７とによって、取付け孔１１を全周に亘って取り巻くファン取付け部１３が挟持される。このとき、挟持面５２１と挟持面５７４とが、ファン取付け部１３のうち、薄肉部１３１を挟持する一方、リング部材５７に設けられた凹部５７５が、薄肉部１３１よりも厚い厚肉部１３５を収容する。つまり、ファン取付け部１３と、ハウジング５０（フランジ部５２）およびリング部材５７とが、凹凸構造を介して係合する。このため、服地１０が引っ張られた場合でも、この係合によって、送風装置５００がファン取付け部１３から外れ、上着１から脱落するのを効果的に防止することができる。また、このような凹凸構造を利用することで、円環状の補強材を用いる場合に比べ、ファン取付け部１３において、比較的厚みが大きい部分の割合を小さくすることができる。
【００６８】
特に、本実施形態では、ファン取付け部１３は、取付け孔１１に挿通された筒状部５１から回転軸Ａ１に対して径方向外側に突出するフランジ部５２と、回転軸Ａ１方向においてフランジ部５２と対向するリング部材５７によって挟持される。よって、フランジ部５２とリング部材５７とでファン取付け部１３を容易に挟持することができる。また、厚肉部１３５は、取付け孔１１の縁に沿って設けられる一方、薄肉部１３１は、厚肉部１３５に対して径方向外側に設けられている。そして、厚肉部１３５は、リング部材５７（フランジ部５７３）の径方向外側の縁よりも内側で凹部５７５に収容され、薄肉部１３１は、厚肉部１３５の径方向外側で、挟持面５２１と挟持面５７４によって挟持される。よって、ファン取付け部１３が、回転軸Ａ１に対して径方向外側に引っ張られても、送風装置５００がファン取付け部１３から外れ、上着１から脱落するのを効果的に防止することができる。
【００６９】
更に、本実施形態では、厚肉部１３５は、取付け孔１１を全周に亘って取り巻くように環状に設けられている。また、何れも環状に構成されたフランジ部５２およびリング部材５７のうち、リング部材５７に、環状の凹部５７５が設けられている。よって、ファン取付け部１３と、フランジ部５２およびリング部材５７とが、開口部の全周に亘って凹凸構造を介して係合するため、送風装置５００がファン取付け部１３から外れ、上着１から脱落するのをより確実に防止することができる。また、上着１に対する送風装置５００の装着の安定性を高めることができる。
【００７０】
また、本実施形態では、薄肉部１３１は、服地１０の一部（詳細には、後身頃地１０１と当て布１０３）によって形成される。一方、厚肉部１３５は、服地１０の一部（詳細には、後身頃地１０１と当て布１０３）と、弾性リング１３６とによって形成されている。このように、厚肉部１３５は、弾性リング１３６を服地１０に取り付けるという簡便な方法で形成されている。また、従来のように、ファン取付け部１３に取り付けられた円環状の補強材を挟持する構成では、補強材には、ある程度剛性の高い素材が用いられる必要がある。これに対し、本実施形態では、ファン取付け部１３と、ハウジング５０およびリング部材５７とが、凹凸構造を介して係合するため、厚肉部１３５の形成に、変形しやすく柔らかい弾性リング１３６を好適に採用することができる。これにより、上着１の洗濯時等の取り扱いがより容易となる。また、一般的に、弾性リング（いわゆるＯリング）１３６は上述の補強材に比べて安価な部品であるため、上着１の製造コストも抑えることができる。
【００７１】
以上に説明したように、本実施形態の上着１および送風装置５００によれば、送風装置５００の脱落を防止するための合理的な構成を実現することができる。
【００７２】
上記実施形態は単なる例示であり、本発明に係る衣服は、例示された上着１の構成に限定されるものではない。例えば、下記に例示される変更を加えることができる。なお、これらの変更は、これらのうちいずれか１つのみ、あるいは複数が、実施形態に示す上着１あるいは各請求項に記載された発明と組み合わされて採用されうる。
【００７３】
例えば、ファン取付け部１３（薄肉部１３１および厚肉部１３５）と送風装置５００との係合構造は、上記実施形態に例示されたものに限られず、適宜、変更されうる。以下に、かかる係合構造の変形例について説明する。但し、かかる係合構造に関する変更は、以下の変形例に限られるものではない。なお、以下の変形例の説明では、上記実施形態と実質的に同一の構成については、同一の符号を付して説明を省略する。
【００７４】
図１０を参照して、第１の変形例の送風装置５０１について説明する。図１０に示すように、送風装置５０１では、ハウジング５０の筒状部５１に、前後方向においてファン取付け部１３の厚肉部１３５の厚みＴ２に対応する隙間を形成し、厚肉部１３５を収容可能な凹部５５１が設けられている。より詳細には、凹部５５１は、筒状部５１の後端部（フランジ部５２との境界領域）に設けられた、径方向内側に凹む環状の凹部である。凹部５５１の前端を規定する面と挟持面５２１との間の距離は、厚みＴ２に概ね等しく設定されている。挟持面５２１および挟持面５７４は、凹部５５１の径方向外側で、厚みＴ１に対応する隙間をあけて対向し、薄肉部１３１を挟持する。なお、本変形例では、取付け孔１１に筒状部５１を挿通可能とし、厚肉部１３５を凹部５５１内にフィットさせるために、後身頃地１０１および当て布１０３のうち、少なくともファン取付け部１３を形成する部分には、伸縮性に優れた生地が採用される。送風装置５０１が服地１０に装着された場合も、上記実施形態と同様、ファン取付け部１３と、ハウジング５０およびリング部材５７とが、凹凸構造を介して係合することで、送風装置５０１がファン取付け部１３から外れるのを効果的に防止することができる。
【００７５】
図１１を参照して、第２の変形例の送風装置５０２について説明する。図１１に示すように、送風装置５０２では、ハウジング５０およびリング部材５７の夫々に、凹部５５２および凹部５７８が設けられている。凹部５５２および凹部５７８は、共に、前後方向においてファン取付け部１３の厚肉部１３５の厚みＴ２に対応する隙間を形成し、厚肉部１３５を収容可能である。より詳細には、凹部５５２は、フランジ部５２の径方向内側の端に設けられた環状の凹部であって、挟持面５２１よりも後方に凹んでいる。凹部５７８は、リング部材５７の径方向内側の端に設けられた環状の凹部であって、挟持面５７４よりも前方に凹んでいる。凹部５５２および凹部５７８は、前後方向において対向しており、前後方向における凹部５５２の底面と凹部５７８の底面との間の距離は、厚みＴ２に概ね等しく設定されている。挟持面５２１および挟持面５７４は、凹部５５２および凹部５７８の径方向外側で、厚みＴ１に対応する隙間をあけて対向し、薄肉部１３１を挟持する。送風装置５０２が服地１０に装着された場合も、上記実施形態と同様、ファン取付け部１３と、ハウジング５０およびリング部材５７とが、凹凸構造を介して係合することで、送風装置５０２がファン取付け部１３から外れるのを効果的に防止することができる。
【００７６】
図１２を参照して、第３の変形例の服地１００および送風装置５０３について説明する。図１２に示すように、本変形例の服地１００では、ファン取付け部１３０の厚肉部１３５は、取付け孔１１の縁から若干離間した位置に設けられている。つまり、環状のファン取付け部１３０には、径方向内側から順に、薄肉部１３１、厚肉部１３５、薄肉部１３１が含まれている。厚肉部１３５は、服地１００の後面側に突出するように形成されている。また、本変形例の送風装置５０３では、ハウジング５０に、ファン取付け部１３０の厚肉部１３５の厚みＴ２に対応する隙間を形成する凹部５５３が設けられている。より詳細には、凹部５５３は、フランジ部５２の径方向の中央部に設けられた環状の凹部であって、挟持面５２１よりも後方に凹んでいる。前後方向において、凹部５５３は、リング部材５７の挟持面５７４に対向している。前後方向における凹部５５３の底面と挟持面５７４との間の距離は、厚みＴ２に概ね等しく設定されている。挟持面５２１および挟持面５７４は、凹部５５３の径方向内側および外側で、厚みＴ１に対応する隙間をあけて対向し、薄肉部１３１を挟持する。送風装置５０３が服地１００に装着された場合も、上記実施形態と同様、ファン取付け部１３０と、ハウジング５０およびリング部材５７とが、凹凸構造を介して係合することで、送風装置５０３がファン取付け部１３０から外れるのを効果的に防止することができる。
【００７７】
図１３を参照して、第４の変形例の服地２０について説明する。本変形例の服地２０は、上記実施形態の服地１０とは異なり、その一部が他の部分とは異なる素材で構成されている。より詳細には、図１３に示すように、服地２０は、ファン取付け部２３を含む一部の領域がゴム製のシート２０３で構成され、後身頃地２０１を含むその他の部分が、服地１０と同様、化学繊維の織物生地で構成されている。
【００７８】
シート２０３は矩形状に形成されており、その中央部に取付け孔１１を有する。ファン取付け部２３は、シート２０３のうち、取付け孔１１を全周に亘って取り巻く環状の領域であって、薄肉部２３１と厚肉部２３５とを含む。本変形例では、薄肉部２３１および厚肉部２３５は、同じシート２０３の厚みが異なる部分として一体的に形成されている。薄肉部２３１は、ファン取付け部２３のうち、シート２０３の厚みと同じ厚みを有する環状の部分である。厚肉部２３５は、取付け孔１１の縁に沿って、薄肉部２３１よりも厚く（前方に突出するように）形成された環状の部分である。つまり、上記実施形態と同様、薄肉部２３１は、厚肉部２３５に対して径方向外側に設けられている。後身頃地２０１には、シート２０３よりも一回り小さい矩形状の開口部２０２が形成されている。シート２０３は、その縁が開口部２０２の周縁部に重なった状態で、後身頃地２０１に接着されている。
【００７９】
送風装置５００が本変形例の服地２０に装着された場合も、上記実施形態と同様、ファン取付け部２３と、ハウジング５０およびリング部材５７とが、凹凸構造を介して係合することで、送風装置５０２がファン取付け部２３から外れるのを効果的に防止することができる。また、本変形例では、ゴム製の１枚のシート２０３を用いて、異なる厚みを有する薄肉部２３１および厚肉部２３５を含むファン取付け部２３を、簡便な方法で形成することができる。なお、シート２０３は、ゴムに代えて、可撓性を有する樹脂で形成されていてもよい。
【００８０】
なお、取付け孔１１を全周に亘って取り巻くファン取付け部１３、１３０、２３において、厚肉部１３５、２３５は、必ずしも上述の例のように環状に設けられる必要はないが、送風装置５００〜５０３の外れにくさと装着の安定性の観点からは、取付け孔１１を周方向に取り巻く割合が大きい方が好ましい。同様に、ハウジング５０およびリング部材５７の少なくとも一方に設けられる凹部は、環状でもよいし、環状でなくてもよい。また、薄肉部１３１、２３１を挟持する挟持面５２１および挟持面５７４は、必ずしも回転軸Ａ１方向（前後方向）に概ね直交する平面である必要はない。例えば、回転軸Ａ１に対して傾斜する円錐面であってもよいし、湾曲面であってもよい。更に、薄肉部１３１、２３１は、環状のフランジ部５２およびフランジ部５７３ではなく、夫々、ハウジング５０の筒状部５１およびリング部材５７の筒状部５７１の外周部から放射状に突出する複数の突出部の対向面の間に挟持されてもよい。
【００８１】
また、ハウジング５０に着脱可能なリング部材５７に代えて、ハウジング５０に連結され、ハウジング５０との間でファン取付け部１３、１３０、２３の少なくとも一部を挟持可能な位置と、挟持不能な位置との間で回動可能なクランプ部材が設けられてもよい。例えば、半円に概ね対応する円弧状に形成された２つのクランプ部材が、夫々、回転軸Ａ１に直交し、且つ、互いに平行な回動軸周りに回動可能に筒状部５１に支持されればよい。２つのクランプ部材が、フランジ部５２に対向する位置まで互いから離れる方向（後方）に回動され、係止されると、リング部材５７のように、フランジ部５２の挟持面５２１と、挟持面５２１に対向するクランプ部材の挟持面との間で薄肉部１３１、２３１を挟持可能となる。一方、２つのクランプ部材は、互いに近づく方向（前方）に回動されると、フランジ部５２との間で薄肉部１３１、２３１を挟持不能となる。この場合、厚肉部１３５、２３５を収容する凹部は、例えば、クランプ部材およびフランジ部５２の少なくとも一方に設けられればよい。なお、クランプ部材の係止機構は、例えば、ハウジング５０およびクランプ部材の一方に設けられた可撓性を有する係止片と、他方に設けられた係止片が係止可能な凹部によって構成される。
【００８２】
上述のファン取付け部１３、１３０では、服地１０の一部（詳細には、後身頃地１０１および当て布１０３）に弾性リング１３６を縫い込むことで、厚肉部１３５が形成されている。しかしながら、弾性リング１３６は、後身頃地１０１および当て布１０３に接着や溶着等の方法で取り付けられていてもよい。厚肉部１３５は、弾性リング１３６以外の部材を服地１０の一部に取り付けることで形成されてもよい。この場合、可撓性を有する部材（例えば、ワイヤや紐）を採用すると、洗濯時等の取り扱いが容易であるため、より好ましい。あるいは、厚肉部１３５は、服地１０を構成する布地を複数層に縫い重ねたり、接着したりすることで形成されていてもよい。
【００８３】
以下、その他の変形例について説明する。
【００８４】
少なくとも回転軸Ａ１方向（前後方向）において、リング部材５７をハウジング５０に対して係止するための係止機構は、上記実施形態で例示された構成に限られず、適宜変更が可能である。例えば、ハウジング５０（筒状部５１）およびリング部材５７の一方に可撓性を有する係止片が設けられ、他方に係止片が係止可能な凹部が設けられていてもよい。あるいは、筒状部５１の外周面に雄ネジ部が形成され、リング部材５７の内周面に、この雄ネジ部が螺合可能な雌ネジ部が形成されていてもよい。また、係止機構は、上記実施形態の例のように、ファン取付け部１３の厚みに応じて係止位置を調整可能でなくてもよい。つまり、所定の単一の係止位置でのみ係止可能であればよい。
【００８５】
ハウジング５０において、筒状部５１、フランジ部５２、吸気側カバー部５３、排気側カバー部５４の形状、吸気口５３０や排気口５４０の数や位置が変更されてもよい。また、モータ６１として、ブラシレスモータに代えて、ブラシを有するモータが採用されてもよい。１つのハウジング５０内に複数のファン６３が収容された構成であってもよい。この場合、ファン６３の数に対応して、モータ６１も複数設けられていてもよい。
【００８６】
更に、本発明に係る衣服は、必ずしも上着１のような前開きの長袖の上衣である必要はなく、例えば、フード付きの上衣、袖無しの上衣（ベスト）、上衣とズボンがつながった所謂つなぎ服、またはズボンとしても好適に実現することができる。なお、衣服の用途は特に限定されるものではなく、例えば、作業着、スポーツウェア、レジャーウェア、消防服、防護服、手術着等として実現されうる。また、衣服は、表地と裏地の２層構造の服地を備えていてもよい。この場合、取付け孔１１およびファン取付け部１３、１３０、２３が表地に設けられ、送風装置５００〜５０３の装着時には、排気側カバー部５４が表地と裏地の間の内部空間に配置されてもよい。この場合、冷却の必要性が高い襟元や脇等に、適宜、通気度が比較的高い領域（開口を含む）が設けられ、ここから流出する空気によって着用者の身体が冷却されてもよい。また、衣服における取付け孔１１の大きさや形状は、装着される送風装置の構成に応じて適宜変更されうる。また、取付け孔１１の位置および数（つまり、取付け可能な送風装置５００〜５０３の数）等も、適宜変更することができる。
【００８７】
上記実施形態および変形例の各構成要素と本発明の各構成要素の対応関係を以下に示す。上着１は、本発明の「衣服」の一例である。服地１０、１００、２０は、各々、本発明の「服地」の一例である。取付け孔１１は、本発明の「開口部」の一例である。送風装置５００〜５０３は、各々、本発明の「送風装置」の一例である。ファン取付け部１３、１３０、２３は、本発明の「周縁部」の一例である。薄肉部１３１、２３１は、各々、本発明の「うすインク部」の一例である。厚肉部１３５、２３５は、各々、本発明の「厚肉部」の一例である。ファン６３、ハウジング５０は、夫々、本発明の「ファン」、「ハウジング」の一例である。リング部材５７は、本発明の「挟持部」および「環状部材」の一例である。変形例のクランプ部材は、本発明の「挟持部」の一例である。挟持面５２１、挟持面５７４は、夫々、本発明の「第１面」、「第２面」の一例である。凹部５７５、５５１、５５２、５７８、５５３は、各々、「凹部」の一例である。筒状部５１は、本発明の「筒状部」の一例である。フランジ部５２は、本発明の「突出部」および「フランジ部」の一例である。弾性リング１３６は、本発明の「環状の弾性部材」の一例である。シート２０３は、本発明の「シート」の一例である。
【００８８】
本発明および上記実施形態の趣旨に鑑み、以下の態様が構築される。以下の態様のうち少なくとも１つが、上述の実施形態、変形例、もしくは各請求項に記載された発明と組み合わされて採用されてもよい。
【００８９】
［態様１］
前記厚肉部は、前記開口部の縁に沿って設けられていてもよい。
［態様２］
態様１において、
前記凹部は、前記環状部材として構成された前記挟持部の径方向内側の縁に沿って設けられていてもよい。
［態様３］
前記薄肉部は、前記厚肉部の径方向外側に隣接する環状の領域であってもよい。
［態様４］
前記送風装置は、少なくとも前記回転軸の延在方向において、前記挟持部を前記ハウジングに対して係止する係止機構を更に備え、
前記係止機構は、前記第１面と前記第２面とが前記第１の厚みに対応する隙間をあけて対向するように、前記挟持部を前記ハウジングに対して係止するように構成されていてもよい。
ガイド溝７１および係止突起７３は、本態様における「係止機構」の一例である。
［態様５］
態様３において、
前記係止機構は、前記第１の厚みに応じて、前記回転軸の延在方向における前記ハウジングに対する前記挟持部の係止位置を調整可能に構成されていてもよい。
【符号の説明】
【００９０】
１：上着
１０、１００、２０：服地
１１：取付け孔
１０１、２０１：後身頃地
１０３：当て布
１３、１３０、２３：ファン取付け部
１３１、２３１：薄肉部
１３５、２３５：厚肉部
１３６：弾性リング
１７：ポケット
２０２：開口部
２０３：シート
５００、５０１、５０２、５０３：送風装置
５０：ハウジング
５１：筒状部
５２：フランジ部
５２１：挟持面
５３：吸気側カバー部
５３０：吸気口
５３１：閉塞部
５３３：リブ
５４：排気側カバー部
５４０：排気口
５４１：閉塞部
５４３：リブ
５４５：凹部
５５１、５５２、５５３：凹部
５７：リング部材
５７１：筒状部
５７３：フランジ部
５７４：挟持面
５７５、５７８：凹部
５７６：底面
６１：モータ
６１１：モータシャフト
６２：コネクタ
６３：ファン
７１：ガイド溝
７１１：第１部分
７１４：第２部分
７１５：ガイド面
７１６：第１係止部
７１７：第２係止部
７１８：段差
７３：係止突起
７５：回転係止部
７５１：第１凹部
７５２：面
７５３：面
７５６：第２凹部
７５７：面
７７：係止片
７８：ガイド凹部
８：バッテリ
８１：バッテリホルダ
８３：接続ケーブル
８３１：コネクタ
Ａ１：回転軸
Ａ２：中心軸
【図１】
2019189982.tif 000003
【図２】
2019189982.tif 000004
【図３】
2019189982.tif 000005
【図４】
2019189982.tif 000006
【図５】
2019189982.tif 000007
【図６】
2019189982.tif 000008
【図７】
2019189982.tif 000009
【図８】
2019189982.tif 000010
【図９】
2019189982.tif 000011
【図１０】
2019189982.tif 000012
【図１１】
2019189982.tif 000013
【図１２】
2019189982.tif 000014
【図１３】
2019189982.tif 000015